(57)【要約】【課題】ナースコール装置において病室の出入り口近傍に設置される廊下灯は、廊下を通過中の看護師が遠方からでも良く見ることが出来る様に高い位置に設置される場合がある。  廊下灯の呼び出し状態を初期状態（リセット）にする必要があるが、高い位置に設置された場合は、リセットする復旧スイッチを押すことが困難である。  廊下灯には本来復旧スイッチが備えられているが、別途外部に復旧スイッチを設けることは、費用や工事の面でも美観の面でも問題があった。  【解決手段】  ナースコール呼び出しと表示画面を初期状態にリセットするための廊下灯の復旧スイッチは、押下して動作するスイッチ手段と紐または棒を引いて動作するスイッチ手段を兼ね備える。【選択図】図１
2007061229.tif 000002
【特許請求の範囲】
【請求項１】
病室内のベッド毎に設置された患者が看護師を呼び出して通話を行うための呼び出し子機と、病室内のベッド周辺の壁面に取り付けられ前記呼び出し子機と接続して廊下灯に信号を中継する壁取り付け子機と、病室の出入り口近傍に取り付けられ前記壁取り付け子機からの呼び出しを受けてナースコール親機との間で通信や通話回路を形成する前記廊下灯と、呼び出しの通知を受けると看護師に報知して前記呼び出し子機との間で通話が可能な前記ナースコール親機とで構成されたナースコール装置において、前記廊下灯にはナースコール呼び出しと表示画面を初期状態にリセットするための復旧スイッチに、押下して動作するスイッチ手段と引いて動作するスイッチ手段を兼ね備えたことを特徴とする廊下灯。
【発明の詳細な説明】
【技術分野】
【０００１】
本発明は、病院や福祉・介護施設で使用されるナースコール装置に関する。
【背景技術】
【０００２】
周知の様に、病院や福祉介護施設では主に看護師（福祉介護施設では介護士など）と患者が通話する為のナースコール装置が設置されている。  このナースコール装置では、患者が呼び出しに使用する呼び出し子機が各ベッドに備えられ、ナースステーションにはナースコール親機が設置されていて、その間で通話できるようになっている。（特許文献１を参照）
【特許文献１】特許第２８８７５５２号公報
【発明の開示】
【発明が解決しようとする課題】
【０００３】
病室の出入り口近傍に設置される廊下灯は、廊下を通過中の看護師が遠方からでも良く見ることが出来る様に高い位置に設置される場合がある。  ナースコール呼び出しを確認してその病室に向かう際には、廊下灯の呼び出し状態を初期状態（リセット）にする必要があるが、高い位置に設置された場合は、リセットする復旧スイッチを押すことが困難なため外部の低位置に復旧スイッチを別途設けて配線で廊下灯に接続している。
【０００４】
廊下灯には本来復旧スイッチが備えられているが、別途外部に復旧スイッチを設けることは、費用や工事の面でも美観の面でも問題があった。
【０００５】
廊下灯が高い位置に設置されても、復旧スイッチを操作できることを工夫する。
【課題を解決するための手段】
【０００６】
ナースコール呼び出しと表示画面を初期状態にリセットするための廊下灯の復旧スイッチは、押下して動作するスイッチ手段と紐または棒を引いて動作するスイッチ手段を兼ね備える。
【発明の効果】
【０００７】
本発明は、廊下灯を設置する際に高さを気にすることなく使用できること、  工事の煩わしさや美観を損なうことを心配しなくて良いこと、背丈が低い看護師にコンプレックスを感じさせない等の効果がある。
【発明を実施するための最良の形態】
【０００８】
以下、本発明の一実施形態を図面に基づいて説明する。
図１は、復旧スイッチの構成を断面図で示した図である。  マイクロスイッチ（４）には板バネなどの弾性体（６）が取り付けられ、復旧ボタン（９）が押下されると弾性体（６）を押し下げてマイクロスイッチ押し下げ部（５）を押し、スイッチがＯＮ状態になる。
復旧ボタン（９）から指を離すと弾性体（７）の復元力で復旧ボタン（９）は元の位置に戻り、スイッチはＯＦＦ状態になる。
【０００９】
点線で示した引き紐（１０）は、引き紐固定部（１）に取り付けられ、マイクロスイッチ（４）の弾性体（６）に取り付けられたローラー（２）を通り、位置が固定されているローラー（３）を経由して下方向へ下げられる。
【００１０】
引き紐（１０）を下方へ引くと、弾性体（６）がマイクロスイッチ押し下げ部（５）を押し、スイッチがＯＮ状態になる。  引き紐（１０）を手から離すと、弾性体（６）の復元力で元の位置に戻り、スイッチはＯＦＦ状態になる。
【００１１】
図２は、復旧スイッチの構成を断面図で示した図であるが、図１と異なる点はマイクロスイッチ（４）には弾性体（６）を取り付けず、引き紐（１０）が復旧ボタン（９）に直接接続されている。
引き紐（１０）が下方に引かれると、復旧ボタン（９）が押下されたと同様にマイクロスイッチ押し下げ部（５）を押し、スイッチがＯＮ状態になる。    引き紐（１０）を手から離すと、弾性体（７）の復元力で復旧ボタン（９）は元の位置に戻り、スイッチはＯＦＦ状態になる。
【００１２】
図３は、廊下灯（２１）の外観図を示す。    
ナースコール呼び出しがあると、液晶などの表示部（２７）に呼び出しを行った患者名や部屋番号やベッド番号や患者情報が表示され、代表表示灯（２６）が点灯または点滅する。
廊下に居た看護師が呼び出しを確認すると、復旧ボタン（９）を押下するかまたは引き紐（１０）を引いてリセットする。  リセットされると代表表示灯（２６）は消灯し、表示部（２７）は初期状態に戻る。
【００１３】
図４は、ナースコール装置の全体構成を示す。  
患者のベッドには握り押しボタン（２３）や呼び出しと通話機能を持つハンド形子機（２４）が置かれ、壁取り付け子機（２２）を経由して廊下灯（２１）に接続している。  廊下灯（２１）からさらにナースコール通信線（２５）を経由してナースコール親機（２０）へと接続されている。
【００１４】
ハンド形子機（２４）等のナースコール子機から呼び出しがあると、その情報が廊下灯（２１）を経由してナースコール親機（２０）へ伝達され、ナースコール親機（２０）側で応答すると親機と子機間で通話することができる。
【００１５】
呼び出し中に、ナースコール子機または廊下灯（２１）で復旧ボタンを押下してリセットすると初期状態に戻る。
【００１６】
この様に、復旧スイッチのＯＮ／ＯＦＦ動作の信号を廊下灯内部の制御部に入力して、廊下灯及びナースコール子機の状態をナースコール呼び出しがないリセット状態にする。  この復旧スイッチのリセット信号は、廊下灯からナースコール親機に送信され、ナースコール親機側もその呼び出しに対してリセット状態となる。
【００１７】
図１及び図２では、マイクロスイッチで示したが、スイッチ機能を持つ素子ならば良いのでマイクロスイッチに限定する必要はない。  また、引き紐で示したが、引く動作が出来る棒状の物でもよい。    
【図面の簡単な説明】
【００１８】
【図１】廊下灯の復旧スイッチの構造を示す断面図（その１）
【図２】廊下灯の復旧スイッチの構造を示す断面図（その２）
【図３】廊下灯の外観図
【図４】ナースコール装置の全体構成図
【符号の説明】
【００１９】
1.                 
引き紐固定部
2.                 
ローラー
3.                 
位置固定ローラー
4.                 
マイクロスイッチ本体
5.                 
マイクロスイッチ押し下げ部
6.                 
弾性体
7.                 
弾性体
8.                 
復旧ボタン固定枠
9.                 
復旧ボタン
10.         
引き紐
20.                       
ナースコール親機
21.                       
廊下灯
22.                       
壁取り付け子機
23.                       
握り押しボタン
24.                       
ハンド形子機
25.                       
ナースコール通信線
26.                       
代表表示灯
27.                       
表示部
【図１】
2007061229.tif 000003
【図２】
2007061229.tif 000004
【図３】
2007061229.tif 000005
【図４】
2007061229.tif 000006